(57)【特許請求の範囲】
【請求項１】
上面が作業面とされた天板と、
床面上に設けられ、上下方向に伸縮することで前記天板を昇降可能に支持する少なくとも１以上の脚部と、
前記脚部の前記上下方向の伸縮にともない昇降可能に、少なくとも１の前記脚部に支持され、情報を表示する表示装置を前記天板の上方に配置する支持部と、
前記支持部に支持され、該支持部を挟んで前記表示装置と反対側に設けられたパネルと、を備え、
平面視において、前記支持部は、支持された前記脚部と重なるように配置され、
前記脚部として、前記上下方向と交差する所定方向に離間して配置された第一の脚部及び第二の脚部を備え、
前記第一の脚部は、前記天板における前記所定方向の一方の端部に設けられ、前記支持部を支持し、
前記第二の脚部は、前記天板における前記所定方向の他方の端部から前記一方の端部側にセットバックした位置に配置され、
平面視において、前記表示装置及び前記パネルを支持する前記支持部の重心位置は、前記支持部を支持する前記脚部の図心位置に重なるように配置されていることを特徴とする天板昇降式什器。
【請求項２】
前記支持部と前記脚部との連結部は、前記脚部の直上に配置されていることを特徴とする請求項１に記載の天板昇降式什器。
【請求項３】
前記天板には、上下方向に貫通する貫通部が形成され、
前記支持部の下部は、前記貫通部に配置されていることを特徴とする請求項１から２のいずれか一項に記載の天板昇降式什器。
【請求項４】
前記支持部は、前記天板の下面に固定されていることを特徴とする請求項１から３のいずれか一項に記載の天板昇降式什器。
【請求項５】
前記脚部には、配線を挿通可能な配線挿通孔が形成されていることを特徴とする請求項１から４のいずれか一項に記載の天板昇降式什器。
【発明の詳細な説明】
【技術分野】
【０００１】
本発明は、昇降式の天板を備えたデスク装置、テーブル装置、カウンター装置等の天板昇降式什器に関する。
【背景技術】
【０００２】
オフィスや公共施設等においては、各種作業等を行うことのできる天板を備えたデスク装置、テーブル装置、カウンター装置等の天板付什器が用いられている。
このような天板付什器においては、使用者の体格、性別、好み等によって、作業のしやすい天板の高さは個々に異なる。そこで、例えば特許文献１、２に開示されているように、天板の高さを上下に変更可能とする昇降機能を備えた天板付什器が多用されている。
【０００３】
また、会議やミーティング等では、複数の出席者がその回りを囲めるような大きな天板を有した天板付什器が使用されることがある。このような天板付什器においても、会議の内容や出席者の体格等に応じて、天板の高さを上下に変更可能とすることが望まれている。
【０００４】
さらに、出席者がホワイトボードやモニター等の情報を表示する表示装置を囲んで会議することは利便性が高い。そこで、床面に設置される円柱脚体及び下部壁体と、円柱脚体と下部壁体とを連結する支持フレームと、円柱脚体及び支持フレームに支持された天板部と、下部壁体に片持ち状に支持され天板部の下面に沿って配置された補助天板と、下部壁体の上方に設けられた上部壁体と、上部壁体に設置されたホワイトボードと、を備えたテーブルが提案されている（下記特許文献３参照）。
【０００５】
しかしながら、特許文献３に記載のテーブルでは、モニターが下部壁体及び上部壁体からなる壁体に設置されているため、円柱脚体に支持された天板とモニターが設置された壁体とを備えた大掛かりな構成になってしまうという問題点がある。このため、什器自体で表示装置を支持することが望まれていた。
【０００６】
そこで、床面に設置される天板支持体と、天板支持体に支持された天板と、天板の縁部に設けられたフレームを介して設置されたモニターと、を備えたテーブル什器が提案されている（下記特許文献４参照）。
【先行技術文献】
【特許文献】
【０００７】
【特許文献１】特許第３３９１２８５号公報
【特許文献２】特開２０１４−２１７７４０号公報
【特許文献３】特許第４６６５５７６号公報
【特許文献４】特開２０１５−８０６２９号公報
【発明の概要】
【発明が解決しようとする課題】
【０００８】
特許文献４に記載されたテーブル什器では、モニターが設置されるのは天板を支持する天板支持体からオーバーハングした天板の縁部であるため、モニターの自重によっては天板支持体に大きなモーメントが作用する。このため、表示装置をより安定的に支持することができる什器が望まれている。
【０００９】
また、昇降機能を備えた天板付什器においては、表示装置の荷重により脚に鉛直方向に対して斜めの力が作用すると、脚が鉛直方向に円滑に昇降しない可能性がある。
【００１０】
本発明は、上記事情に鑑みてなされたものであり、表示装置を安定的に支持可能であるとともに、天板を円滑に上下昇降可能な天板昇降式什器を提供するものである。
【課題を解決するための手段】
【００１１】
上記目的を達成するために、本発明は以下の手段を採用している。
すなわち、本発明に係る天板昇降式什器は、上面が作業面とされた天板と、床面上に設けられ、上下方向に伸縮することで前記天板を昇降可能に支持する少なくとも１以上の脚部と、前記脚部の前記上下方向の伸縮にともない昇降可能に、少なくとも１の前記脚部に支持され、情報を表示する表示装置を前記天板の上方に配置する支持部と、前記支持部に支持され、該支持部を挟んで前記表示装置と反対側に設けられたパネルと、を備え、平面視において、前記支持部は、支持された前記脚部と重なるように配置され、前記脚部として、前記上下方向と交差する所定方向に離間して配置された第一の脚部及び第二の脚部を備え、前記第一の脚部は、前記天板における前記所定方向の一方の端部に設けられ、前記支持部を支持し、前記第二の脚部は、前記天板における前記所定方向の他方の端部から前記一方の端部側にセットバックした位置に配置され、平面視において、前記表示装置及び前記パネルを支持する前記支持部の重心位置は、前記支持部を支持する前記脚部の図心位置に重なるように配置されていることを特徴とする。
【００１２】
このように構成された天板昇降式什器では、支持部は脚部に支持された天板の上方に配置されるとともに脚部に支持されているため、支持部及び支持部に支持された表示装置の荷重は脚部に作用する。平面視において支持部は脚部と重なるように配置されているため、支持部及び表示装置の荷重により脚部に作用するモーメントが抑えられる。よって、脚部が、表示装置を安定的に支持することができる。
さらに、平面視において支持部は支持された脚部と重なるように配置されているため、支持部の荷重が脚部に鉛直下向きに作用する。よって、鉛直下向きに対して交差する方向の力、つまり脚部の上下方向の伸縮の妨げとなる力の発生が抑えられるため、脚部が上下方向に円滑に伸縮することで、天板を円滑に上下昇降させることができる。
また、第一の脚部が天板における所定方向の一方の端部の下方に配置されるため、第一の脚部に支持された支持部及び支持部に支持された表示装置は一方の端部の上方に配置される。よって、天板の上方では一方の端部から他方の端部にわたって所定方向に開放されているため、天板上を広く使用することができる。
また、第二の脚部が天板における所定方向の他方の端部から一方の端部側にセットバックした位置に配置されるため、天板の下方において、第二の脚部から天板の他方の端部にわたって所定方向に開放することができる。
また、平面視において表示装置及びパネルを支持する支持部の重心位置は支持部を支持する脚部の図心位置に重なるように配置されているため、支持部、表示装置及びパネルの荷重により脚部に作用するモーメントがより一層抑えられる。よって、脚部が、表示装置及びパネルを安定的に支持することができる。
さらに、平面視において表示装置及びパネルを支持する支持部の重心位置は支持部を支持する脚部の図心位置に重なるように配置されているため、表示装置及びパネルを支持する支持部の荷重が脚部に鉛直下向きに作用する。よって、鉛直下向きに対して交差する方向の力、つまり脚部の上下方向の伸縮の妨げとなる力の発生がより一層抑えられるため、脚部が上下方向に円滑に伸縮することで、天板を円滑に上下昇降させることができる。
【００１３】
また、本発明に係る天板昇降式什器では、前記支持部と前記脚部との連結部は、前記脚部の直上に配置されていることが好ましい。
【００１４】
このように構成された天板昇降式什器では、支持部と脚部との連結部は脚部の直上に配置されているため、支持部と脚部との連結部に作用するモーメントが抑えられる。よって、脚部が、表示装置をより安定的に支持することができる。
【００２１】
また、本発明に係る天板昇降式什器は、前記天板には、上下方向に貫通する貫通部が形成され、前記支持部の下部は、前記貫通部に配置されているようにしてもよい。
【００２２】
このように構成された天板昇降式什器では、支持部の下部は天板に形成された上下方向に貫通する貫通部に配置されているため、支持部を天板と干渉することなく配置することができる。
【００２３】
また、本発明に係る天板昇降式什器では、前記支持部は、前記天板の下面に固定されているようにしてもよい。
【００２４】
このように構成された天板昇降式什器では、支持部は天板の下面に固定されているため、脚部とともに天板でも支持部を支持することできる。よって、支持部をより一層安定的に支持することができる。
【００２５】
また、本発明に係る天板昇降式什器は、前記脚部には、配線を挿通可能な配線挿通孔が形成されているようにしてもよい。
【００２６】
このように構成された天板昇降式什器では、脚部には配線を挿通可能な配線挿通孔が形成されているため、表示装置の配線を配線挿通孔に通して脚部の内部に導入することができる。よって、配線を体裁よく収容することができる。
【発明の効果】
【００２７】
本発明に係る天板昇降式什器によれば、表示装置を安定的に支持することができるとともに、天板を円滑に上下昇降させることができる。
【図面の簡単な説明】
【００２８】
【図１】本発明の一実施形態に係る天板昇降式什器の斜視図である。
【図２】本発明の一実施形態に係る天板昇降式什器の斜視図であって、表示装置を省略して、天板及びパネルを二点鎖線で示したものである。
【図３】図２における要部の拡大図である。
【図４】本発明の一実施形態に係る天板昇降式什器の要部において、表示装置を分解した斜視図である。
【図５】図１のＡ−Ａ矢視図である。
【図６】図５のＢ部を拡大して断面で示した断面図である。
【発明を実施するための形態】
【００２９】
以下、添付図面を参照して、本発明による天板昇降式什器を実施するための形態を説明する。しかし、本発明はこの実施形態のみに限定されるものではない。
【００３０】
図１は、本発明の第一実施形態に係る天板昇降式什器の斜視図である。図２は、本発明の一実施形態に係る天板昇降式什器の斜視図であって、表示装置を省略して、天板及びパネルを二点鎖線で示したものである。
図１、図２に示すように、デスク装置（天板昇降式什器）１は平面視長方形状に形成された天板部２０と、床面Ｆに設置される天板支持体１０と、天板支持体１０に取り付けられたモニターフレーム（支持部）４０と、モニターフレーム４０に取り付けられたモニター（表示装置）Ｍ及びパネルＰと、を備えている。
【００３１】
以下において、天板部２０の長手方向を幅方向と称し、幅方向と直交する水平方向を前後方向と称し、デスク装置１が設置される床面Ｆに直交する方向を上下方向と適宜称する。
【００３２】
（天板部）
天板部２０は、上面２１ｆが作業面とされた天板２１を備えている。天板２１は、平面視略長方形状をなすとともに、天板２１の幅方向の端部（幅方向の他方の端部）２１Ｑが外方に向かって凸となるように湾曲した形状をなしている。これにより、端部２１Ｑに沿って、多くの利用者を配置可能としている。天板２１の幅方向の端部（幅方向の一方の端部）２１Ｐ側には、後述するモニターＭ及びパネルＰが配置されている。
【００３３】
（天板支持体）
天板支持体１０は、天板２１の幅方向（所定方向）に離間して配置された一対の脚部１１Ａ，１１Ｂ（順に、第一の脚部、第二の脚部）と、一対の脚部１１Ａ，１１Ｂどうしを連結する連結体３０と、を有している。
【００３４】
天板支持体１０、モニターフレーム４０、モニターＭ、パネルＰ及び脚部１１Ａ及び脚部１１Ｂは、天板２１の幅方向の中央から幅方向両側に均等に延びるように、配置されている。
【００３５】
脚部１１Ａは、端部２１Ｐの下方に配置されている。脚部１１Ｂは、天板２１の幅方向の他方の端部２１Ｑから、端部２１Ｐ側（天板２１の幅方向内方側）にセットバックした位置に配置されている。
【００３６】
各脚部１１Ａ，１１Ｂは、それぞれ床面Ｆに沿って設けられるベース部材１２と、ベース部材１２上に設けられて上下方向に延び、天板部２０を支持する脚部材１３とを備えている。
【００３７】
ベース部材１２は、デスク装置１の前後方向に延びている。各ベース部材１２の下面には、前後方向の両端部に床面Ｆに接地する接地部材１２ｄが設けられ、接地部材１２ｄによってベース部材１２の高さおよび水平レベルを調整できるようになっている。
【００３８】
脚部材１３は、各ベース部材１２の前後方向の中央設けられている。各脚部材１３は、ベース部材１２上に固定された第一筒部１３ｘと、第一筒部１３ｘ内に上下方向に移動可能に挿入された第二筒部１３ｙと、第二筒部１３ｙ内に上下方向に移動可能に挿入された第三筒部１３ｚと、を有している。第一筒部１３ｘ、第二筒部１３ｙ、第三筒部１３ｚは、それぞれ角筒状をなしている。各脚部材１３は、第一筒部１３ｘに対し、第二筒部１３ｙ、第三筒部１３ｚが上下方向に沿って出没することで、上下方向の長さが調整可能となっている。
【００３９】
図２に示すように、脚部材１３の第三筒部１３ｚの上端には、デスク装置１の前後方向に延びる支持フレーム２３が設けられている。
【００４０】
図３は、図２における要部の拡大図である。
図３に示すように、支持フレーム２３は、天板２１を支持する天板部２３ａと、天板部２３ａの一方の端部（デスク装置１の幅方向内方側の端部）から下方に折曲された内板部２３ｂと、天板部２３ａの他方の端部（デスク装置１の幅方向外方側の端部）から下方に折曲された外板部２３ｃとを有している。
【００４１】
支持フレーム２３の天板部２３ａには、後述するモニターフレーム４０を取り付けるための取付孔（連結部）２３ｘが形成されている。取付孔２３ｘは、デスク装置１の前後方向に離間して一対形成されている。
【００４２】
また、支持フレーム２３の天板部２３ａには、後述するモニターＭの配線（不図示）が挿通される配線挿通孔２３ｓが形成されている。配線挿通孔２３ｓは、デスク装置１の前後方向の略中央に形成されている。
【００４３】
図２、図３に示すように、連結体３０は、一対の脚部材１３，１３の支持フレーム２３，２３どうしを連結する一対の外側連結杆３１，３１及び内側連結体３２を有している。
【００４４】
一方の外側連結杆３１は、支持フレーム２３，２３の一方の端部側どうし連結している。他方の外側連結杆３１は、支持フレーム２３，２３の他方の端部側どうし連結している。
【００４５】
外側連結杆３１の端部３１ａが支持フレーム２３の内板部２３ｂに当接するようにして、外側連結杆３１は溶接等により支持フレーム２３に連結されている。外側連結杆３１の上面３１ｔには、天板２１を取付けるための取付孔３１ｘが複数形成されている。取付孔３１ｘから挿通された螺子（不図示）が、天板２１に螺合されている。これにより、天板２１は、外側連結杆３１に取り付けられている。
【００４６】
内側連結体３２は、支持フレーム２３，２３におけるデスク装置１の前後方向中央どうし連結している。
【００４７】
内側連結体３２の端部３２ａが支持フレーム２３の内板部２３ｂに当接するようにして、内側連結体３２は溶接等により支持フレーム２３に連結されている。
【００４８】
内側連結体３２の上面３２ｔには、天板２１を取付けるための取付孔３２ｘが複数形成されている。取付孔３２ｘから挿通された螺子（不図示）が、天板２１に螺合されている。これにより、天板２１は、内側連結体３２に取り付けられている。
【００４９】
内側連結体３２の上面３２ｔには、配線が挿通される開口部３２ｋが複数形成されている。開口部３２ｋには、配線カバー３３が開閉可能に取り付けられている。
【００５０】
（モニターフレーム）
図４は、本発明の一実施形態に係る天板昇降式什器の要部において、表示装置を分解した斜視図である。図５は、図１のＡ−Ａ矢視図である。図６は、図５のＢ部を拡大して断面で示した断面図である。
図３、図４、図５及び図６に示すように、モニターフレーム４０は、上下方向に延びる一対の縦フレーム４１，４１と、一対の縦フレーム４１，４１どうしを連結する横フレーム４２，４２とを有している。これら縦フレーム４１及び横フレーム４２は、管状に形成されている。モニターフレーム４０は、平面視において、脚部１１Ａと重なるように配置されている。
【００５１】
ここで、天板２１には、モニターフレーム４０との干渉を避けるように、平面視における縦フレーム４１及び横フレーム４２に対応する部分には上下方向に貫通する凹部（貫通部）２１ｋ（図１、図２参照。以下同じ。）が形成されている。凹部２１ｋは、天板２１の端部２１Ｐから反対側の端部２１Ｑ側に向かって凹むように形成されている。モニターフレーム４０の縦フレーム４１の下端部は凹部２１ｋに配置されている。
【００５２】
縦フレーム４１，４１は、デスク装置１の前後方向に離間して配置されている。各縦フレーム４１の下端部には、デスク装置１の幅方向内方に向かって延びる取付プレート（連結部）４３が設けられている。
【００５３】
ここで、天板２１の下面側には、取付プレート４３との干渉を避けるように、凹部２１ｋに連続して裏側凹部２１ｍが形成されている。取付プレート４３は、裏側凹部２１ｍに配置されている。
【００５４】
取付プレート４３における縦フレーム４１の直下には、取付孔（連結部）４３ｘが形成されている。支持フレーム２３の天板部２３ａの取付孔２３ｘから挿通された螺子（連結部）２３ｚが、取付プレート４３の取付孔４３ｘに螺合されている。これにより、モニターフレーム４０は、脚部１１Ａに取り付けられている。このように、モニターフレーム４０は、支持フレーム２３の天板部２３ａで、脚部１１Ａに連結されている。
【００５５】
また、取付プレート４３において、縦フレーム４１よりも延出する部分には、取付孔４３ｙが複数形成されている。取付孔４３ｙから挿通された螺子（不図示）が、天板２１に螺合されている。これにより、モニターフレーム４０は、天板２１の下面に取り付けられている。
【００５６】
また、モニターフレーム４０の下部には、一対の縦フレーム４１，４１の外周面を覆うようにフレームカバー４６が設けられている。
【００５７】
（モニター）
モニターＭは、電力及び情報の供給により文字や映像を映し出すものである。モニターＭは、デスク装置１の前後方向に離間して配置された一対のモニターブラケット５１，５１を介して、モニターフレーム４０に取り付けられている。
【００５８】
モニターブラケット５１は、モニターＭの裏側（デスク装置１の幅方向外方）に沿って配置される取付板部５１ａを有している。取付板部５１ａから挿通された螺子５１ｚが、モニターＭに螺合されている。これにより、モニターブラケット５１は、モニターＭに取り付けられている。
【００５９】
さらに、モニターブラケット５１は、取付板部５１ａの両端部からデスク装置１の幅方向外方にそれぞれ屈曲された屈曲板部５１ｂ，５１ｂと、一方の屈曲板部５１ｂの端部からモニターフレーム４０の横フレーム４２に沿って配置される支持板部５１ｃとを有している。
【００６０】
さらに、モニターブラケット５１は、支持板部５１ｃの上端部及び下端部からそれぞれデスク装置１の幅方向外方に向かって延びる延出板部５１ｄ，５１ｄと、各延出板部５１ｄの端部から垂下する折返板部５１ｅとを有している。
【００６１】
モニターＭに螺子止めされたモニターブラケット５１を、モニターブラケット５１の延出板部５１ｄ，５１ｄが、それぞれ横フレーム４２，４２の上面４２ｔに載るように、上方から下方に移動させる。これにより、モニターブラケット５１の支持板部５１ｃ、延出板部５１ｄ及び折返板部５１ｅで形成された空間部に横フレーム４２が入り込み、モニターＭがモニターブラケット５１を介してモニターフレーム４０に取り付けられている。
【００６２】
（パネル）
パネルＰは、図示しないＬ金具等を介して、モニターフレーム４０におけるデスク装置１の幅方向外方に取り付けられている。
【００６３】
上記のデスク装置１では、平面視において、モニターＭ及びパネルＰを支持するモニターフレーム４０の重心位置は、脚部１１Ａの図心位置に重なるように配置されている。
【００６４】
さらに、デスク装置１は、脚部材１３の動作を制御する制御ユニット（不図示。以下同じ。）と、制御ユニットに昇降動作信号を入力するための操作部１９（図１参照。以下同じ。）と、を備えている。
制御ユニットは、例えば、天板２１の下面等に固定されている。この制御ユニットには、デスク装置１が配置される執務空間に設けられた商用電源に接続される電源ケーブル（不図示。以下同じ。）が接続されている。
【００６５】
操作部１９は、天板２１の下面に設けられている。操作部１９は、制御ユニットに、配線ケーブル（不図示。以下同じ。）を介して電気的に接続されている。
利用者が操作部１９に対して所定の操作を入力すると、操作部１９から配線ケーブルを介し、制御ユニットに操作信号が送信される。制御ユニットは、操作部１９から操作信号を受信すると、受信した信号に基づいて脚部材１３に昇降動作を実行させる指令信号を出力する。各脚部材１３は、指令信号を受信すると、その指令信号に応じて、例えば各脚部材１３に内蔵された伸縮駆動装置（不図示）によって伸縮駆動され、これによって天板部２０の高さの調整がなされる。
【００６６】
このように構成されたデスク装置１では、モニターフレーム４０は天板支持体１０に支持された天板２１の上方に配置されているため、モニターフレーム４０及びモニターフレーム４０に支持されたモニターＭの荷重は天板支持体１０に作用する。平面視においてモニターフレーム４０は天板支持体１０の脚部１１Ａと重なるように配置されているため、モニターフレーム４０及びモニターＭの荷重により脚部１１Ａに作用するモーメントが抑えられる。よって、天板支持体１０が、モニターＭを安定的に支持することができる。
さらに、平面視においてモニターフレーム４０は天板支持体１０の脚部１１Ａと重なるように配置されているため、モニターフレーム４０の荷重が脚部１１Ａに鉛直下向きに作用するため、鉛直下向きに対して交差する方向の力、つまり脚部１１Ａの上下方向の伸縮の妨げとなる力の発生が抑えられるため、脚部１１Ａが上下方向に円滑に伸縮することで、天板２１を円滑に上下昇降させることができる。
【００６７】
また、モニターフレーム４０は脚部１１Ａの直上で脚部１１Ａに連結されているため、モニターフレーム４０と脚部１１Ａとの連結部分に作用するモーメントが抑えられる。よって、天板支持体１０が、モニターＭをより安定的に支持することができる。
【００６８】
また、脚部１１Ａが天板２１における幅方向の端部２１Ｐの下方に配置されるため、脚部１１Ａに支持されたモニターフレーム４０及びモニターフレーム４０に支持されたモニターＭは端部２１Ｐの上方に配置される。よって、天板２１の上方では端部２１Ｐから端部２１Ｑにわたって天板２１の幅方向に開放されているため、天板２１上を広く使用することができる。
【００６９】
また、脚部１１Ｂが天板２１における天板２１の幅方向の端部２１Ｑから端部２１Ｐ側にセットバックした位置に配置されるため、天板２１の下方において、脚部１１Ｂから天板２１の端部２１Ｑにわたって天板２１の幅方向に開放することができる。よって、当該空間に利用者の下肢等を配置することができるため、使い勝手を良好とすることができる。
【００７０】
また、平面視において、モニターＭ及びパネルＰを支持するモニターフレーム４０の重心位置Ｍは、脚部１１Ａの図心位置Ｍに重なるように配置されているため、モニターフレーム４０、モニターＭ及びパネルＰの荷重により脚部１１Ａに作用するモーメントがより一層抑えられる。よって、脚部１１Ａが、モニターＭ及びパネルＰを安定的に支持することができる。さらに、脚部１１Ａの上下方向の伸縮の妨げとなる力の発生がより一層抑えられるため、脚部１１Ａが上下方向に円滑に伸縮することで、天板２１を円滑に上下昇降させることができる。
【００７１】
また、モニターフレーム４０の下部は天板２１に形成された上下方向に貫通する凹部２１ｋに配置されているため、モニターフレーム４０を天板２１と干渉することなく配置することができる。
【００７２】
また、モニターフレーム４０は天板２１の下面に固定されているため、天板支持体１０とともに天板２１でもモニターフレーム４０を支持することできる。よって、モニターフレーム４０をより一層安定的に支持することができる。
【００７３】
また、天板支持体１０には配線を挿通可能な配線挿通孔２３ｓが形成されているため、モニターＭの配線を配線挿通孔２３ｓに通して天板支持体１０の内部に導入することができる。よって、配線を体裁よく収容することができる。
【００７４】
なお、上述した実施の形態において示した各構成部材の諸形状や組み合わせ等は一例であって、本発明の主旨から逸脱しない範囲において設計要求等に基づき種々変更可能である。
【００７５】
例えば、上記実施形態では、天板付き什器として、デスク装置１を例示したが、これに限らず、デスク以外の例えばカウンター、テーブル等であってもよい。
【００７６】
また、上記に示す実施形態では、デスク装置１において支持フレーム２３を支持する脚部１１Ａは天板２１の幅方向の端部２１Ｐに設けられているが、本発明はこれに限られない。平面視において、支持部が脚体と重なるように配置されていれば天板の端部に限られず、天板の中央側等に設けられていてもよい。
【００７７】
また、上記に示す実施形態では、脚部は一対設けられているが、本発明はこれに限られない。３以上の脚部を有していてもよいし、１の脚部で構成されていてもよく、平面視において、支持部がいずれか一の脚部と重なるように配置されていればよい。
【００７８】
また、上記に示す実施形態では、表示装置としてモニターを例に挙げて説明したが、本発明はこれに限られない。表示装置は、情報を表示するものであれば、コンピュータのディスプレイや、ホワイトボード、電子黒板等が採用される。
【符号の説明】
【００７９】
１…デスク装置（天板昇降式什器）
１０…天板支持体
１１Ａ…脚部（第一の脚部）
１１Ｂ…脚部（第二の脚部）
１２…ベース部材
１３…脚部材
２０…天板部
２１…天板
２１ｋ…凹部（貫通部）
２３…支持フレーム
２３ｓ…配線挿通孔
３０…連結体
３１…外側連結杆
３２…内側連結体
４０…モニターフレーム（支持部）
４６…フレームカバー
５１…モニターブラケット
Ｆ…床面
Ｍ…モニター（表示装置）
Ｐ…パネル
【図１】
0006692127.tif 000002
【図２】
0006692127.tif 000003
【図３】
0006692127.tif 000004
【図４】
0006692127.tif 000005
【図５】
0006692127.tif 000006
【図６】
0006692127.tif 000007